(57)【要約】  下記式（１）で表される化合物と、下記式（２）で表される化合物と、水とを含有し、該式（２）で表される化合物の含有率が０．２質量％〜２質量％である洗浄液、及びそれを用いたインクジェットプリンタの洗浄方法を提供する。式中、Ｒ１は直鎖状又は分岐鎖状のＣ１−Ｃ３０アルキル基を表す。ＥＯはエチレンオキシ基を表し、ＰＯはプロピレンオキシ基を表す。ｍ及びｎはそれぞれ独立に１〜５の整数を表す。ｍとｎとの比であるｍ：ｎは１：２以上かつ３：２より小さい。ｍ１、ｎ１、及びＬ１はそれぞれ独立に１以上の整数を表し、｛（ｍ１＋Ｌ１）／（ｍ１＋ｎ１＋Ｌ１）｝×１００＞２７の条件を満たす。2020175034.tif 000009
【特許請求の範囲】
【請求項１】
下記式（１）で表される化合物と、下記式（２）で表される化合物と、水とを含有し、該式（２）で表される化合物の含有率が０．２質量％〜２質量％である洗浄液。
【化１】
2020175034.tif 000007
［式（１）中、Ｒ１は直鎖状又は分岐鎖状のＣ１−Ｃ３０アルキル基を表す。ＥＯはエチレンオキシ基を表し、ＰＯはプロピレンオキシ基を表す。ＥＯとＰＯとが結合する順序は任意である。ｍ及びｎはそれぞれ独立に１〜５の整数を表す。ｍとｎとの比であるｍ：ｎは１：２以上かつ３：２より小さい。］
【化２】
2020175034.tif 000008
［式（２）中、ＥＯはエチレンオキシ基を表し、ＰＯはプロピレンオキシ基を表す。ＥＯとＰＯとが結合する順序は任意である。ｍ１、ｎ１、及びＬ１はそれぞれ独立に１以上の整数を表す。ただし、ｍ１、ｎ１、及びＬ１は｛（ｍ１＋Ｌ１）／（ｍ１＋ｎ１＋Ｌ１）｝×１００＞２７の条件を満たす。］
【請求項２】
前記式（２）で表される化合物の含有率が０．４質量％〜２質量％である請求項１に記載の洗浄液。
【請求項３】
さらに、有機溶剤を含有する請求項１又は２に記載の洗浄液。
【請求項４】
前記有機溶剤がグリコールエーテルである請求項３に記載の洗浄液。
【請求項５】
請求項１〜４のいずれか１項に記載の洗浄液の、インクジェットプリンタの洗浄における使用。
【請求項６】
インクジェットプリンタに付着したインクジェットインクの固形物に対して請求項１〜４のいずれか１項に記載の洗浄液を接触させることにより、前記固形物を溶解除去するインクジェットプリンタの洗浄方法。
【請求項７】
インクジェットヘッドに前記洗浄液を充填し、インク流路内に前記洗浄液を通液することにより、前記インク流路内に付着した前記固形物を溶解除去する請求項６に記載の洗浄方法。
【請求項８】
インクジェットヘッドのノズルを前記洗浄液に浸漬することにより、前記ノズルに付着した前記固形物を溶解除去する請求項６に記載の洗浄方法。
【発明の詳細な説明】
【技術分野】
【０００１】
本発明は、洗浄液、特にインクジェットプリンタの洗浄に用いられる洗浄液、及びそれを用いたインクジェットプリンタの洗浄方法に関する。
【背景技術】
【０００２】
インクジェットプリンタによる印刷方法（インクジェット印刷方法）は、インクの小滴を発生させ、これを紙等の記録メディアに付着させ印刷を行う方法である。【０００３】
近年、インクジェット印刷方法は、産業用途としての応用が進んでいる。インクジェットインクが含有する着色剤は、水溶性の着色剤と水不溶性の着色剤とに大別される。これらのうち、顔料等の水不溶性の着色剤は、水溶性の着色剤と比較して、一般に各種の堅牢性に優れる。このため、産業用のインクジェットインクは、水不溶性の着色剤を含有することが多い。【０００４】
産業用途に用いられる記録メディアは、各種の紙、繊維、フィルムなど多様化しており、樹脂フィルム等のインク非吸収性の記録メディア、又はコート紙等のインク難吸収性の記録メディアも多い。そのようなインク非吸収性又はインク難吸収性の記録メディアの印刷に用いられるインクとしては、非水系の溶剤インク、硬化性インク等が知られている。しかし、自然環境、生体等に対する安全性の観点から、これらのインクに代わる水性インクが強く要望されている。そのような水性インクは、水不溶性の着色剤、及び分散剤を含有し、さらに、耐擦過性、耐溶剤性等を向上させる目的で、一般にポリマー、ワックス等も含有する。このため、そのような水性インクは固形分の含有量が多く、極めて乾燥しやすい。インクの乾燥は、長期の保管、高温又は低湿度環境での保管等において、インクジェットヘッドのノズル部やインク流路内での固形物の形成を生じ、目詰まりが発生しやすい。このようにインクジェットヘッド内で目詰まりが生じると、インクの吐出が安定して行えず、印刷画質の劣化、画像濃度の低下等の問題が生じる。そのため、一般に産業用インクジェットヘッドには、ノズル部にキャップ部材を装備し、インクの乾燥を防止する等の工夫がされている。しかし、インクジェットプリンタが稼働する環境が過酷な場合には、インクの乾燥を完全に回避することは難しい。【０００５】
上記のような状況から、インクが乾燥して固形物を生じることによりインクジェットヘッドが目詰まりしても、これを溶解除去できる洗浄液（クリーニング液、メンテナンス液等とも称される）が強く要望されている。特許文献１〜６には、インクジェットプリンタの洗浄に用いられる洗浄液が開示されている。
【先行技術文献】
【特許文献】
【０００６】
【特許文献１】特許第５０２７４４４号公報
【特許文献２】特許第４６４９８２３号公報
【特許文献３】特許第４３９７２２０号公報
【特許文献４】特許第５６１８２５０号公報
【特許文献５】特許第５８１９２０６号公報
【特許文献６】特許第５８１９２０５号公報
【発明の概要】
【発明が解決しようとする課題】
【０００７】
本発明は、着色インクが乾燥して固形物を生じたときでも、その固形物を溶解除去できる洗浄液、及びそれを用いたインクジェットプリンタの洗浄方法を提供することを課題とする。
【課題を解決するための手段】
【０００８】
上記課題を解決するための具体的な手段には、以下の実施態様が含まれる。
１）
下記式（１）で表される化合物と、下記式（２）で表される化合物と、水とを含有し、該式（２）で表される化合物の含有率が０．２質量％〜２質量％である洗浄液。
【化１】
2020175034.tif 000002
［式（１）中、Ｒ１は直鎖状又は分岐鎖状のＣ１−Ｃ３０アルキル基を表す。ＥＯはエチレンオキシ基を表し、ＰＯはプロピレンオキシ基を表す。ＥＯとＰＯとが結合する順序は任意である。ｍ及びｎはそれぞれ独立に１〜５の整数を表す。ｍとｎとの比であるｍ：ｎは１：２以上かつ３：２より小さい。］
【化２】
2020175034.tif 000003
［式（２）中、ＥＯはエチレンオキシ基を表し、ＰＯはプロピレンオキシ基を表す。ＥＯとＰＯとが結合する順序は任意である。ｍ１、ｎ１、及びＬ１はそれぞれ独立に１以上の整数を表す。ただし、ｍ１、ｎ１、及びＬ１は｛（ｍ１＋Ｌ１）／（ｍ１＋ｎ１＋Ｌ１）｝×１００＞２７の条件を満たす。］
２）
上記式（２）で表される化合物の含有率が０．４質量％〜２質量％である上記１）に記載の洗浄液。
３）
さらに、有機溶剤を含有する上記１）又は２）に記載の洗浄液。
４）
上記有機溶剤がグリコールエーテルである上記３）に記載の洗浄液。
５）
上記１）〜４）のいずれか１項に記載の洗浄液の、インクジェットプリンタの洗浄における使用。
６）
インクジェットプリンタに付着したインクジェットインクの固形物に対して上記１）〜４）のいずれか１項に記載の洗浄液を接触させることにより、前記固形物を溶解除去するインクジェットプリンタの洗浄方法。
７）
インクジェットヘッドに上記洗浄液を充填し、インク流路内に上記洗浄液を通液することにより、上記インク流路内に付着した上記固形物を溶解除去する上記６）に記載の洗浄方法。
８）
インクジェットヘッドのノズルを上記洗浄液に浸漬することにより、上記ノズルに付着した上記固形物を溶解除去する上記６）に記載の洗浄方法。
【発明の効果】
【０００９】
本発明によれば、着色インクが乾燥して固形物を生じたときでも、その固形物を溶解除去できる洗浄液、及びそれを用いたインクジェットプリンタの洗浄方法を提供することができる。
【発明を実施するための形態】
【００１０】
本明細書においては、特に断りの無い限り、「％」及び「部」は、いずれも質量基準で記載する。
【００１１】
＜洗浄液＞
本実施形態に係る洗浄液は、上記式（１）で表される化合物と、上記式（２）で表される化合物と、水とを含有し、該式（２）で表される化合物の含有率が０．２質量％〜２質量％である。上記式（１）及び式（２）でそれぞれ表される化合物を併用し、上記式（２）で表される化合物の含有率を適切に調整することにより、均一な溶液である洗浄液を得ることができる。また、洗浄液を均一な溶液とすることにより、高い洗浄能力を安定的に示すことが可能となる。
【００１２】
以下、本実施形態に係る洗浄液が含有する成分について詳細に説明する。なお、以下に説明する各成分は、そのうちの１種類を単独で使用してもよく、２種類以上を併用してもよい。
【００１３】
［式（１）で表される化合物］
上記式（１）中、Ｒ１は直鎖状又は分岐鎖状のＣ１−Ｃ３０アルキル基を表し、Ｃ１０−Ｃ１８アルキル基が好ましく、Ｃ１２−Ｃ１５アルキル基がより好ましい。これらの中では直鎖状のアルキル基が好ましい。
【００１４】
上記式（１）中、ＥＯはエチレンオキシ基を表し、ＰＯはプロピレンオキシ基を表す。ＥＯとＰＯとが結合する順序は任意であり、上記式（１）に示される順序に限定されるものではないが、上記式（１）に示される順序が好ましい。
【００１５】
上記式（１）中、ｍ及びｎはそれぞれ独立に１〜５の整数を表す。ｍ：ｎの比は１：２以上かつ３：２より小さい範囲である。ｍとｎとの組み合わせ（ｍ：ｎ）としては、１：２、２：３、３：４、４：５、５：５、４：４、３：３、２：２、１：１、５：４、及び４：３が好ましく、４：４がより好ましい。
【００１６】
なお、ｍ及びｎはいずれも平均値である。このため、本明細書においてｍ及びｎが小数点以下の数値を有するときは、小数点以下１桁目を四捨五入して整数とした数値をｍ及びｎの値とする。
【００１７】
上記式（１）で表される化合物は、公知の方法により合成することができる。また、市販品としても入手できる。市販品の具体例としては、例えば、クラリアント社製のＧＥＮＡＰＯＬ  ＥＰ２４２４、ＥＰ２５４４等が挙げられる。
【００１８】
洗浄液の総質量中における上記式（１）で表される化合物の総含有率は、通常０．１％〜２％であり、好ましくは０．５％〜１％である。
【００１９】
［式（２）で表される化合物］
上記式（２）中、ＥＯはエチレンオキシ基を表し、ＰＯはプロピレンオキシ基を表す。ＥＯとＰＯとが結合する順序は任意であり、上記式（２）に示される順序に限定されるものではないが、上記式（２）に示される順序が好ましい。
【００２０】
上記式（２）中、ｍ１、ｎ１、及びＬ１はそれぞれ独立に１以上の整数を表す。ｍ１、ｎ１、及びＬ１の範囲は特に制限されない。通常、ｍ１が１１以上４０以下、ｎ１が２５以上５８以下、Ｌ１が１１以上４０以下であり、好ましくは、ｍ１が１１以上３９以下、ｎ１が２７以上５８以下、Ｌ１が１１以上３９以下であり、より好ましくは、ｍ１が１３以上３７以下、ｎ１が２９以上５６以下、Ｌ１が１３以上３７以下である。
【００２１】
ただし、ｍ１、ｎ１、及びＬ１は｛（ｍ１＋Ｌ１）／（ｍ１＋ｎ１＋Ｌ１）｝×１００＞２７の条件を満たす。｛（ｍ１＋Ｌ１）／（ｍ１＋ｎ１＋Ｌ１）｝×１００の値の下限は２８以上であることが好ましい。また、｛（ｍ１＋Ｌ１）／（ｍ１＋ｎ１＋Ｌ１）｝×１００の値の上限は、通常７６以下であり、好ましくは７１以下、より好ましくは６２以下である。｛（ｍ１＋Ｌ１）／（ｍ１＋ｎ１＋Ｌ１）｝×１００の値の範囲は、通常２７より大きく７６以下、好ましくは２８以上７１以下、より好ましくは３５以上６２以下、さらに好ましくは４０以上６０以下、特に好ましくは４５以上６０以下、極めて好ましくは４７以上５７以下である。
【００２２】
なお、ｍ１、ｎ１、及びＬ１はいずれも平均値である。このため、本明細書においてｍ１、ｎ１、及びＬ１が小数点以下の数値を有するときは、小数点以下１桁目を四捨五入して整数とした数値をｍ１、ｎ１、及びＬ１の値とする。
【００２３】
また、本明細書において｛（ｍ１＋Ｌ１）／（ｍ１＋ｎ１＋Ｌ１）｝×１００の算出結果が小数点以下の数値を有するときは、小数点以下１桁目を四捨五入した数値を算出結果とする。
【００２４】
上記式（２）で表される化合物は、公知の方法により合成することができる。また、市販品としても入手できる。市販品の具体例としては、例えば、クラリアント社製のＧＥＮＡＰＯＬ  ＰＦ４０、第一工業製薬社製のエパン  Ｕ―１０５等が挙げられる。
【００２５】
洗浄液の総質量中における上記式（２）で表される化合物の総含有率は、０．２％〜２％であり、好ましくは０．４％〜２％である。
【００２６】
［水］
本実施形態に係る洗浄液は、溶媒として水を含有する。水は、イオン性の不純物を極力低減することを目的として、イオン交換水、蒸留水等を用いることが好ましい。
【００２７】
洗浄液の総質量中における水の含有率は、通常６０％〜８０％であり、好ましくは６５％〜８０％である。
【００２８】
［有機溶剤］
本実施形態に係る洗浄液は、さらに有機溶剤を含有していてもよい。有機溶剤としては、例えば、メタノール、エタノール、プロパノール、イソプロパノール、ブタノール、イソブタノール、第二ブタノール、第三ブタノール等の、ヒドロキシ基を１つ有するＣ１−Ｃ６アルカノール；Ｎ，Ｎ−ジメチルホルムアミド、Ｎ，Ｎ−ジメチルアセトアミド等のアミド類；２−ピロリドン、Ｎ−メチル−２−ピロリドン、Ｎ−メチルピロリジン−２−オン等のラクタム；１，３−ジメチルイミダゾリジン−２−オン、１，３−ジメチルヘキサヒドロピリミド−２−オン等の環式尿素；アセトン、２−メチル−２−ヒドロキシペンタン−４−オン、エチレンカーボネート等の、ケトン又はケトアルコール；テトラヒドロフラン、ジオキサン等の環状エーテル；エチレングリコール、ジエチレングリコール、１，２−プロピレングリコール、１，３−プロピレングリコール、１，４−ブチレングリコール、１，６−へキシレングリコール、１，２−ヘキサンジオール、１，２−ペンタンジオール、４−メチル−１，２−ペンタンジオール、３，３−ジメチル−１，２−ブタンジオール、１，２−オクタンジオール、５−メチル−１，２−ヘキサンジオール、４−メチル−１，２−ヘキサンジオール、４，４−ジメチル−１，２−ペンタンジオール、ジエチレングリコール、トリエチレングリコール、テトラエチレングリコール、ジプロピレングリコール、分子量が４００以上のポリエチレングリコール又はポリプロピレングリコール、チオジグリコール、ジチオジグリコール等の、Ｃ２−Ｃ８アルキレン単位を有するモノ、オリゴ、若しくはポリアルキレングリコール又はチオグリコール；グリセリン、ジグリセリン、ヘキサン−１，２，６−トリオール、トリメチロールプロパン等のポリオール（トリオール）；γ−ブチロラクトン、ジメチルスルホキシド；グリコールエーテル；などが挙げられる。これらの中ではグリコールエーテルが好ましい。
【００２９】
グリコールエーテルとしては、ジ又はトリＣ２−Ｃ４アルキレングリコールのモノアルキルエーテルが好ましい。Ｃ２−Ｃ４アルキレングリコール部分としては、エチレングリコール、プロピレングリコール、及びブチレングリコールが挙げられる。これらの中では、エチレングリコール及びプロピレングリコールが好ましく、エチレングリコールがより好ましい。モノアルキルエーテル部分のアルキルの炭素数の範囲は、通常Ｃ１−Ｃ６、好ましくはＣ１−Ｃ５、より好ましくはＣ２−Ｃ４、さらに好ましくはＣ３−Ｃ４、特に好ましくはＣ４である。
【００３０】
グリコールエーテルの具体例としては、例えば、エチレングリコールモノメチルエーテル、エチレングリコールモノエチルエーテル、ジエチレングリコールモノエチルエーテル、ジエチレングリコールモノプロピルエーテル、ジエチレングリコールモノブチルエーテル（ブチルジグリコール）、トリエチレングリコールモノメチルエーテル、トリエチレングリコールモノエチルエーテル、エチレングリコールモノアリルエーテル、エチレングリコールモノイソプロピルエーテル、ジエチレングリコールモノメチルエーテル、プロピレングリコールモノプロピルエーテル、トリエチレングリコールモノブチルエーテル等が挙げられる。これらの中ではブチルジグリコールが好ましい。
【００３１】
洗浄液の総質量中における有機溶剤の総含有率は、通常０〜６０％、好ましくは０．１〜５０％、より好ましくは０．２〜４０％、さらに好ましくは０．５〜３０％である。また、有機溶剤として少なくともグリコールエーテルを含有するとき、グリコールエーテルの総含有率は、通常０〜１５％、好ましくは０．１〜１５％、より好ましくは０．２〜１３％、さらに好ましくは０．５〜１０％である。
【００３２】
なお、グリコールエーテルとそれ以外の有機溶剤とを併用するときは、それぞれの含有率の和が、洗浄液の総質量中における有機溶剤の総含有率となる。このときも、グリコールエーテルの総含有率は上記のとおりである。
【００３３】
［調製剤］
本実施形態に係る洗浄液は、上記した成分以外に、必要に応じて各種の調製剤をさらに含有していてもよい。そのような調製剤としては、例えば、界面活性剤（ただし、上記式（１）で表される化合物及び上記式（２）で表される化合物を除く）、防腐剤、防黴剤、ｐＨ調整剤、キレート試薬、防錆剤、水溶性紫外線吸収剤、酸化防止剤等が挙げられる。
【００３４】
洗浄液の総質量中における調製剤の総含有率は、通常０％〜３０％、好ましくは０％〜２０％、より好ましくは０％〜１０％程度である。
【００３５】
本実施形態に係る洗浄液は、実質的に着色剤を含有しない。本明細書において「実質的に」とは、洗浄液中に、意図的に着色剤を加えないことを意味する。
【００３６】
界面活性剤としては、アニオン、カチオン、ノニオン、両性、シリコーン系、及びフッ素系の各界面活性剤が挙げられる。これらの中ではノニオン界面活性剤が好ましい。
【００３７】
アニオン界面活性剤としては、例えば、アルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００３８】
カチオン界面活性剤としては、例えば、２−ビニルピリジン誘導体、ポリ４−ビニルピリジン誘導体等が挙げられる。
【００３９】
ノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル、ポリオキシエチレンジスチレン化フェニルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；などが挙げられる。
【００４０】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００４１】
シリコーン系界面活性剤としては、例えば、ポリエーテル変性シロキサン、ポリエーテル変性ポリジメチルシロキサン等が挙げられる。
【００４２】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。
【００４３】
防腐剤としては、例えば、有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。
【００４４】
防黴剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００４５】
ｐＨ調整剤としては、調製される洗浄剤に悪影響を及ぼさずに、そのｐＨを５〜１１に調整できるものであれば、任意の物質を使用することができる。その具体例としては、例えば、ジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基；などが挙げられる。
【００４６】
キレート試薬としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００４７】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００４８】
水溶性紫外線吸収剤としては、例えば、スルホ化されたベンゾフェノン系化合物、ベンゾトリアゾ−ル系化合物、サリチル酸系化合物、桂皮酸系化合物、トリアジン系化合物等が挙げられる。
【００４９】
酸化防止剤としては、例えば、各種の有機系及び金属錯体系の褪色防止剤を使用することができる。有機系の褪色防止剤としては、例えば、ハイドロキノン類、アルコキシフェノール類、ジアルコキシフェノール類、フェノール類、アニリン類、アミン類、インダン類、クロマン類、アルコキシアニリン類、複素環類等が挙げられる。
【００５０】
［洗浄液の調製方法等］
本実施形態に係る洗浄液は、上記式（１）で表される化合物、上記式（２）で表される化合物、水、並びに必要に応じて有機溶剤及び／又は調製剤を加え、十分に混合することにより得ることができる。得られた洗浄液は、狭雑物を除くために精密濾過を行ってもよい。特に、洗浄液をインクジェットヘッドに充填する場合には、洗浄液を精密濾過するのが好ましい。精密濾過には、メンブランフィルター、ガラス濾紙等を用いることができる。精密濾過を行うときのフィルター等の孔径は、通常０．５μｍ〜２０μｍであり、好ましくは０．５μｍ〜１０μｍである。
【００５１】
本実施形態に係る洗浄液の２５℃におけるｐＨは、インクジェットプリンタの部材を腐食させないため、通常ｐＨ５〜１１であり、好ましくはｐＨ７〜１０．５である。
本実施形態に係る洗浄液の２５℃における表面張力は、通常１０ｍＮ／ｍ〜５０ｍＮ／ｍであり、好ましくは２０ｍＮ／ｍ〜４０ｍＮ／ｍである。
本実施形態に係る洗浄液の２５℃における粘度は、通常３０ｍＰａ・ｓ以下であり、好ましくは２０ｍＰａ・ｓ以下、下限は０．１ｍＰａ・ｓ程度である。
【００５２】
［洗浄液の用途］
本実施形態に係る洗浄液は、各種の着色剤を含有する水系インクが固化した固形物を溶解除去する際に使用することができる。水系インクとしては、酸性染料、直接染料、反応染料等の水溶性染料を含有する水系インク；分散染料、顔料等の水不溶性着色剤を含有する水系インク；などが挙げられる。本実施形態に係る洗浄液は洗浄力が高いため、水不溶性着色剤、特に顔料を含有する水系インクが固化した固形物を溶解除去する際に使用することが好ましい。また、本実施形態に係る洗浄液は、その洗浄力の高さから、顔料とともに各種の樹脂を含有する水系インクが固化した固形物を溶解除去する際の洗浄液として、極めて高い能力を発揮する。
【００５３】
＜インクジェットプリンタの洗浄方法＞
本実施形態に係るインクジェットプリンタの洗浄方法は、インクジェットプリンタに付着したインクジェットインクの固形物に対して上述した本実施形態に係る洗浄液を接触させることにより、固形物を溶解除去するものである。
【００５４】
インクジェットインクとしては、酸性染料、直接染料、反応染料等の水溶性染料を含有する水系インク；分散染料、顔料等の水不溶性着色剤を含有する水系インク；などが挙げられる。特に、本実施形態に係る洗浄液は洗浄力が高いため、水不溶性着色剤、特に顔料を含有する水系インクが固化した固形物を溶解除去することが可能である。
【００５５】
インクジェットインクの固形物に対して本実施形態に係る洗浄液を接触させる方法は特に限定されない。例えば、洗浄液をスポンジ、布等に吸収させて、着色インクの固形物が付着した部分の汚れをふき取ってもよい。また、着色インクがインクジェットヘッド上で乾燥し、インクジェットヘッドの汚れが激しいときは、着色インクの代わりに洗浄液をインクジェットヘッドに充填し、インク流路内に洗浄液を通液してもよい。このように洗浄液を通液することにより、インクジェットヘッド内、インク流路内、ノズル等に付着した着色インクの固形物を溶解除去することができる。あるいは、着色インクの固形物によってインクジェットヘッドのノズルが閉塞したような場合には、ノズルを洗浄液に浸漬してもよい。このように洗浄液に浸漬することにより、ノズルに付着した着色インクの固形物を溶解除去することができる。
【００５６】
上述した全ての事項について、好ましいもの同士の組み合わせはより好ましく、より好ましいもの同士の組み合わせはさらに好ましい。好ましいものとより好ましいものとの組み合わせ、より好ましいものとさらに好ましいものとの組み合わせ等についても同様である。
【実施例】
【００５７】
以下、本発明を実施例によって具体的に説明するが、本発明は、以下の実施例に限定されるものではない。洗浄液及び着色インクの調製は、特に断りのない限り、いずれも撹拌下に行った。また、実施例中で使用した「水」は、イオン交換水である。【００５８】
［実施例１〜３：洗浄液の調製］
下記表１に記載の各成分を混合して、それぞれ総量１００部の洗浄液を得た。得られた液を孔径３μｍのメンブランフィルターで濾過することにより、実施例１〜３の洗浄液を得た。【００５９】
［比較例１〜１１：比較用の洗浄液の調製］
下記表１に記載の各成分を使用する以外は実施例１〜３と同様にして、比較例１〜１１の比較用の洗浄液を得た。【００６０】
下記表１中の略号等は、以下の意味を有する。また、表１中の数値は「部」である。
Ｇｌｙ：グリセリン
２Ｐｙ：２−ピロリドン
ＢＤＧ：ブチルジグリコール
ＥＰ２４２４：クラリアント社製ノニオン界面活性剤、ＧＥＮＡＰＯＬ  ＥＰ２４２４
ＥＰ２５４４：クラリアント社製ノニオン界面活性剤、ＧＥＮＡＰＯＬ  ＥＰ２５４４
ＥＰ２５６４：クラリアント社製ノニオン界面活性剤、ＧＥＮＡＰＯＬ  ＥＰ２５６４
ＥＰ２５８４：クラリアント社製ノニオン界面活性剤、ＧＥＮＡＰＯＬ  ＥＰ２５８４
ＰＦ２０：クラリアント社製ノニオン界面活性剤、ＧＥＮＡＰＯＬ  ＰＦ２０
ＰＦ４０：クラリアント社製ノニオン界面活性剤、ＧＥＮＡＰＯＬ  ＰＦ４０
Ｕ１０５：第一工業製薬株式会社製ノニオン界面活性剤、エパン  Ｕ−１０５
ＴＥＡ：トリエタノールアミン
ＧＸＬ（Ｓ）：ロンザ社製、プロキセルＧＸＬ（Ｓ）。【００６１】
なお、ＥＰ２４２４は、上記式（１）中、Ｒ１がＣ１２−Ｃ１４アルキル基、ｍが２、ｎが４、ｍ：ｎが１：２の化合物である。
ＥＰ２５４４は、上記式（１）中、Ｒ１がＣ１２−Ｃ１５アルキル基、ｍが４、ｎが４、ｍ：ｎが１：１の化合物である。
ＥＰ２５６４は、上記式（１）中、Ｒ１がＣ１２−Ｃ１５アルキル基、ｍが６、ｎが４、ｍ：ｎが３：２の化合物であり、上記式（１）には含まれない化合物である。
ＥＰ２５８４は、上記式（１）中、Ｒ１がＣ１２−Ｃ１５アルキル基、ｍが８、ｎが４、ｍ：ｎが２：１の化合物であり、上記式（１）には含まれない化合物である。
ＰＦ２０は、上記式（２）中、ｍ１が５、ｎ１が３０、Ｌ１が５、｛（ｍ１＋Ｌ１）／（ｍ１＋ｎ１＋Ｌ１）｝×１００＝２５の化合物であり、上記式（２）には含まれない化合物である。
ＰＦ４０は、上記式（２）中、ｍ１が１３、ｎ１が２９、Ｌ１が１３、｛（ｍ１＋Ｌ１）／（ｍ１＋ｎ１＋Ｌ１）｝×１００＝４７の化合物である。
Ｕ１０５は、上記式（２）中、ｍ１が３７、ｎ１が５６、Ｌ１が３７、｛（ｍ１＋Ｌ１）／（ｍ１＋ｎ１＋Ｌ１）｝×１００＝５７の化合物である。【００６２】
【表１】
2020175034.tif 000004
【００６３】
［調製例１：樹脂Ａの調製］
ジョンクリル６７８（質量平均分子量：８５００）（２５部）及びトリエタノールアミン（１４．３部）をイオン交換水（６０．７部）に溶解し、１時間撹拌して溶液を得た。得られた溶液を「樹脂Ａ」とする。【００６４】
［調製例２：着色分散液の調製］
国際公開第２０１３／１１５０７１号の合成例３に記載のブロック共重合体を調製し、得られた高分子分散剤（５部）を２−ブタノン（２０部）に溶解し、均一な溶液とした。この溶液に、水酸化ナトリウム（０．４部）を水（５０．６部）に溶解した液を加え、さらに樹脂Ａ（４部）を添加した後、１時間撹拌して乳化液を得た。この乳化液にＣ．Ｉ．Ｐｉｇｍｅｎｔ  Ｙｅｌｌｏｗ  ７４（２０部、クラリアント社製ＨＡＮＳＡ  ＹＥＬＬＯＷ  ５ＧＸ  ０１−ＪＰ）を加え、１５００ｒｐｍの条件下で１５時間、サンドグラインダー中で分散処理を行って液を得た。得られた液に水（１００部）を滴下した後、この液を濾過して濾液を得た。得られた濾液から、エバポレータで２−ブタノン及び水の一部を減圧留去することにより、顔料含有率が１２．４％の着色分散液を得た。
着色分散液中の顔料含有率は、株式会社エイ・アンド・デイ製、ＭＳ−７０を用いて、乾燥重量法により、液中の全固形分から顔料のみの換算値として求めた。【００６５】
［調製例３：樹脂Ｂの調製］
国際公開第２０１５／１４７１９２号の調製例４を追試することにより、酸価が６ＫＯＨｍｇ／ｇ、ガラス転移温度が０℃、固形分が２５％の樹脂エマルションを調製した。この樹脂エマルションを「樹脂Ｂ」とする。【００６６】
［調製例４：着色インクの調製］
下記表２に記載の各成分を混合して総量１００部の液を得た後、得られた液を孔径３μｍのメンブランフィルターで濾過することにより、洗浄液の評価に用いる着色インクを得た。【００６７】
下記表２中の略号等は、以下の意味を有する。また、下記表２中の数値は「部」である。なお、樹脂Ｂ及びＡＱ５１５の表２中の部数は固形分換算値である。
Ｄｐ１：調製例２で得た着色分散液
ＴＥＧ：トリエチレングリコール
１，２ＨＤ：１，２−ヘキサンジオール
ＳＮ４６５：日信化学株式会社製ノニオン界面活性剤、サーフィノール  ４６５
ＡＱ５１５：ビックケミー社製ポリエチレンワックス、ＡＱＵＡＣＥＲ  ５１５（固形分３５．０％）【００６８】
【表２】
2020175034.tif 000005
【００６９】
［安定性試験］
実施例１〜３及び比較例１〜１１で得た各洗浄液を室温で１２時間静置した後、洗浄液の状態を目視で観察し、その安定性を評価した。評価基準は以下の２段階とした。評価結果を下記表３に示す。
−評価基準−
Ａ：洗浄液の状態に変化はなかった。
Ｃ：洗浄液から分離した液状成分が、洗浄液の表面に浮いているのが観察された。【００７０】
なお、安定性試験において「Ａ」評価の洗浄液のみを使用して、後述する洗浄性試験を行った。【００７１】
［洗浄性試験］
調製例４で得た着色インクをガラスシャーレ上に２０μＬ滴下し、６０℃の恒温槽に１時間静置して乾燥させることにより、着色インクが固化した固形物を得た。得られた固形物に実施例１〜３及び比較例２〜４、７、８、１１の各洗浄液を１０ｍＬ滴下し、固形物を溶解できるか否かを目視で評価した。評価基準は以下の４段階とした。評価結果を下記表３に示す。表３において「−」は、洗浄性試験を行わなかったことを表す。
−評価基準−
Ａ：固形物の残存が認められず、均一な液となった。
Ｂ：ほぼ均一な液となったが、わずかに固形物の残存が認められる。
Ｃ：明らかに固形物が残存し、均一な液とは認められなかった。
Ｄ：固形物の形状が全く変化しなかったか、又はほとんど変化しなかった。【００７２】
なお、少量であっても固形物が残存することは、インクジェットヘッドの目詰まり等を解消できない可能性があることを意味する。このため、洗浄性が「Ａ」評価以外の洗浄液は実用的ではない。【００７３】
【表３】
2020175034.tif 000006
【００７４】
上記の結果から明らかなように、実施例１〜３の洗浄液は、安定性及び洗浄性に優れることが確認された。
【国際調査報告】
2020175034.tif 000010
2020175034.tif 000011
2020175034.tif 000012
2020175034.tif 000013
2020175034.tif 000014
2020175034.tif 000015